(57)【要約】      （修正有）【課題】側周に写真，コマーシャル面などを設けてバラエティに富む置物を兼ねたタイムカプセルメッセージ缶を提供する。【解決手段】現在と未来をつなぐタイムカプセルメッセージを収容するタイムカプセル缶であって、側周に写真，コマーシャル面４を設けた有底筒体２と上記のタイムカプセルメッセージ７の入れ口を有す造形蓋体３とからなり、有底筒体２の上部口縁と造形蓋体３の下縁に雌雄の掛嵌部を設けて掛嵌密閉するようにしたことを特徴とする。【選択図】図２
0003147935.tif 000002
【実用新案登録請求の範囲】
【請求項１】
現在と未来をつなぐタイムカプセルメッセージを収容するタイムカプセル缶であって、側周に写真，コマーシャル面を設けた有底筒体と上記のタイムカプセルメッセージの入れ口を有す造形蓋体とからなり、該有底筒体の上部口縁と造形蓋体の下縁に雌雄の掛嵌部を設けて掛嵌密閉するようにしたことを特徴とするタイムカプセルメッセージ缶。
【請求項２】
有底筒体と造形蓋体は金属，合成樹脂同士または各別の素材にて形成し、雌雄の掛嵌部の硬度，形状により簡単に取外し可能のタイプと取外しが容易でないタイプとにて形成する請求項１に記載のタイムカプセルメッセージ缶。
【請求項３】
タイムカプセルメッセージ缶はメッセージのほか、記念硬貨を含むコイン，記念切手，記念切符，新聞記事等のアイテムも入れる請求項１または２のいずれに記載のタイムカプセルメッセージ缶。
【請求項４】
有底筒体の側周に１０年乃至数１０年の多年カレンダーを設ける請求項１乃至３のいずれかに記載のタイムカプセルメッセージ缶。
【請求項５】
有底筒体は円筒形のほか、四角筒形，多角筒形にて形成する請求項１乃至４のいずれかに記載のタイムカプセルメッセージ缶。
【請求項６】
造形蓋体をマスコットにて形成する請求項１乃至５のいずれかに記載のタイムカプセルメッセージ缶。
【考案の詳細な説明】
【技術分野】
【０００１】
この考案は現在と未来をつなぐタイムカプセルメッセージを収容するタイムカプセルメッセージ缶に関するものである。
【背景技術】
【０００２】
この種の考案としては特開２０００−３０９３３７号公報がある。該公報は二つの陶磁器製容器の一方に内容物を入れ、接着剤，バネ性のあるフックを挟んで他方を被せ、割ることでしか内容物を取出すことができないタイムカプセルを記載している。
【特許文献１】特開２０００−３０９３３７号公報
【考案の開示】
【考案が解決しようとする課題】
【０００３】
しかしながら、該公報のタイムカプセルは接着剤の選択に困難し、バネ性のあるめくらフックの構成も非常にむづかしい。また割り砕くと再使用することができないという課題がある。
【課題を解決するための手段】
【０００４】
本考案は、現在と未来をつなぐタイムカプセルメッセージを収容するタイムカプセル缶であって、側周を写真，コマーシャル面とする有底筒体と上記メッセージの入れ口を有す造形蓋体とからなり、該有底筒体の上部口縁と造形蓋体の下縁に雌雄の掛嵌部を設けて掛嵌密閉するようにして、かかる課題を解消したのである。
【考案の効果】
【０００５】
本考案のタイムカプセルメッセージ缶は、側周に写真，コマーシャル等を設けたので、記憶替わりに読取ることができて重宝するという効果を生ずる。
【０００６】
タイムカプセルメッセージ缶は、メッセージ等の入れ直しのほか、入れ口よりも大きいアイテムを有底筒体内に収納することができるという効果を生ずる。
【０００７】
メッセージのほか、記念硬貨を含むコイン，新聞記事等のアイテムを入れることでタイムカプセル効果を格段に向上させることができるという効果を生ずる。
【０００８】
タイムカプセルメッセージ缶を近くに置くことで、側周のコマーシャルにて重要な事項を常時認識し置くことができるという効果を生ずる。
【０００９】
有底筒体は円筒形のほか、四角筒形，多角筒形などにすること、また造形蓋体をマスコットにすることにより、タイムカプセルメッセージ缶の種類とバラエティを増加させることができるという効果を生ずる。
【考案を実施するための最良の形態】
【００１０】
本考案は、現在と未来をつなぐタイムカプセルメッセージを収容するタイムカプセル缶であって、側周に写真，コマーシャル面を設ける有底筒体と上記メッセージの入れ口を有す造形蓋体とからなり、該有底筒体の上部口縁と造形蓋体の下縁に雌雄の掛嵌部を設けて掛嵌密閉するようにして、タイムカプセルメッセージ缶を形成するのである。
【実施例１】
【００１１】
図１乃至図３は本考案の第１実施例を示すもので、タイムカプセルメッセージ缶１を構成する円筒形をした有底筒体２と、横細長形をしたメッセージ等の入れ口３ａを有す山型をした造形蓋体３をブリキ，アルミなどの金属薄板材にて形成する。
有底筒体２は直径５〜８ｃｍ、高さ１０〜２０ｃｍほどの縦長形にて形成し、側周の外面に、記念写真，注意事項を記載したコマーシャル面４を設ける。
有底筒体２の上部口縁に外巻きして形成する外出形の止環５を形成し、造形蓋体３の下縁に雌雄となる内出形の掛環６を形成して、有底筒体２上に被せ雌雄掛嵌密閉してタイムカプセルメッセージ缶１とする。
【００１２】
なお、図３（ａ）に示すように造形蓋体３の掛環６の内巻き端を浅くすると比較的簡単に開缶可能なタイムカプセルメッセージ缶１とすることができ、図３（ｂ）に示すように深く形成することで取外しが容易でないタイプのメッセージ缶１になる。また、金属板材の材料硬度が低ければ取外し可能のタイプとなり、硬度が高くなれば取外しが容易でないタイプになる。また有底筒体２に設ける止環５を内巻き、造形蓋体３の掛環６を外巻きにかえて形成することもある。
【００１３】
密閉したタイムカプセルメッセージ缶１内に入れ口３ａからタイムカプセルとなるメッセージ７を収納する。メッセージ７のほか記念硬貨を含むコイン，記念切手，記念切符，写真，新聞記事などの記念／情報アイテム８を入れ口３ａから入れて収納することもできる。メッセージ７とともに記念／情報アイテム８を収納することで、メッセージ７の書かれたときの情況，時代背景などが同封されることとなる。
【００１４】
封印シール９にて入れ口３ａを閉塞することにより湿気，ほこりの浸入を防ぐことができるので、内部に収納したメッセージ７の紙片，アイテム８の汚損，変質等を防止することができる。封印シール９は再接着可能とすることであとからメッセージ７を追加して収納することもできる。
なお、有底筒体２と造形蓋体３間を簡単に取外し可能とするタイプのときは、造形蓋体３を一旦取外すことで、メッセージを入れ直したり、また小さな入れ口３ａから入れることのできない大きい記念／情報アイテム８などを改めて収納することができることとなる。
【実施例２】
【００１５】
図４乃至図８は有底筒体２と造形蓋体３の一方または双方を塩ビ，ポリプロピレンなどの合成樹脂材にて形成した例を示すものである。
図４（ａ）は有底筒体２を金属板材製、造形蓋体３を合成樹脂製とし、内出形の掛環６を浅く緩やかに形成して簡単に取外し可能のタイプとしたもの、（ｂ）は掛環５を深く直角に形成して取外し容易でないタイプとした例を示すものである。
【００１６】
図５（ａ）（ｂ）は金属板材製の有底筒体２の止環５を内巻きに形成し、造形蓋体３の掛環６を外出形に形成した例を示すもので、掛環６の形状を深浅等することで簡単に取外し可能のタイプと取外しが容易でないタイプにすることができる点は前例と同じである。
また、図６は掛環６にかえて複数の突起６ａを間隔を置いて設けるようにした例を示すもので、突起６ａの高さおよび突起６ａの個数を増減することにより簡単に取外し可能とするタイプと取外しが容易でないタイプを形成することができる。
図７は造形蓋体３の下端を内外２重に形成した例で、内側の掛環６と外周壁６ｂにて有底筒体２の上端を挟着することで掛嵌の安定性を強化するものとなる。
【００１７】
図８は有底筒体２と造形蓋体３の双方を合成樹脂製とした例であって、（ａ）は止環５と掛環６の掛嵌を浅くして簡単に取外し可能とするタイプとした例、（ｂ）は鉤状に深く掛嵌して取外しが容易でないタイプとした例を示すものである。
なお、以上は止環５と掛環６の形状の相違により簡単に取外し可能とするタイプと取外しが容易でないタイプを形成する例を示してきたが、材料がいずれであれ、その硬度を高くするか低くするか、すなわち変形の難易度によって取外し可能なタイプと容易でないタイプとを形成し分けることもできる。
【実施例３】
【００１８】
図９は有底筒体２の側周に生活上の注意事項などのコマーシャル４とカレンダー１０を交互に設けた実施例を示すもので、タイムカプセルメッセージ缶１を身近に置くことで常時注意が喚起されるものとなる。
【実施例４】
【００１９】
図１０は有底筒体２の側周に１周りを１０年とする多年カレンダー１０を直接印刷し、または印刷した紙またはフィルムを貼着したものである。多年カレンダー１０は２巻き２０年、３巻き３０年等に増加して重着することもできる。外面のカレンダーを剥がして内面のカレンダーを表出することで２０年先，３０年先のカレンダーを確認することができることとなる。
【実施例５】
【００２０】
図１１は有底筒体２と造形蓋体３のの他の形状例を示すもので、図に示すように有底筒体２を四角筒体２ａとするほか五角形，八角形等の多角筒形に形成する。また造形蓋体３ａを図に示すように立体的なマスコットに形成するのである。なお、造形蓋体３は下縁を有底筒体の形状に合わせて密閉可能に形成する。その他の構成と作用は前記の各実施例と同じである。
【産業上の利用可能性】
【００２１】
本考案は、メッセージなどを入れたタイムカプセルをコマーシャル媒体，装飾性の高い置物、また多年カレンダーとして広く利用することができるものである。
【図面の簡単な説明】
【００２２】
【図１】有底筒体と造形蓋体を掛嵌前の状態にて示す斜視図
【図２】同、掛嵌した状態を示す斜視図
【図３】（ａ）は掛環を浅く形成して取外し可能としたタイプ、（ｂ）は掛環を深く形成して取外しが容易でないタイプとした例を示す部分拡大断面図
【図４】造形蓋体を合成樹脂製にして、（ａ）は取外し可能としたタイプ例、（ｂ）は取外しが容易でないものとしたタイプ例を示す部分拡大断面図
【図５】同、止環を内巻きにして、（ａ）は取外し可能としたタイプ例、（ｂ）は取外しが容易でないものにしたタイプ例の部分拡大断面図
【図６】掛環にかえて突起を並列形成した例を示す部分断面拡大図
【図７】造形蓋体の下端を内外二重に形成した例を示す部分拡大断面図
【図８】双方を合成樹脂製した例で、（ａ）は取外し可能したタイプ例、（ｂ）は取外しが容易でないタイプ例を示す部分拡大断面図図
【図９】有底筒体の側周にカレンダーと交互にコマーシャル面を設けた例を示す斜視図
【図１０】同、多年カレンダーを設けた例を示す斜視図
【図１１】有底筒体と造形蓋体の他の形状例の１つを示す斜視図
【符号の説明】
【００２３】
１はタイムカプセルメッセージ缶
２は有底筒体
２ａは四角筒形をした有底筒体
３は造形蓋体
３ａはマスコットに形成した造形蓋体
４は写真，コマーシャル面
４ｂはミシン目
５は止環
６は掛環
６ａは突起
７はメッセージ
８は記念硬貨等の記念／情報アイテム
９は封印シール
１０はカレンダー
【図３】
0003147935.tif 000003
【図４】
0003147935.tif 000004
【図５】
0003147935.tif 000005
【図６】
0003147935.tif 000006
【図７】
0003147935.tif 000007
【図８】
0003147935.tif 000008
【図１】
0003147935.tif 000009
【図２】
0003147935.tif 000010
【図９】
0003147935.tif 000011
【図１０】
0003147935.tif 000012
【図１１】
0003147935.tif 000013